(57)【要約】【課題】連関性やストーリー性を有する複数の画像を一連の画像として表示すること。【解決手段】複数の画像を同時に表示画面に表示すると共に、これら表示されている各画像を順次切り換える画像表示装置において、上位から下位への複数の階層に渡って互いに相似する複数のレイアウトを含み、これらレイアウトにより分割された複数の領域内にそれぞれ各画像を表示する第１の表示部と、複数の領域のうち最上位以外の各階層の各領域内にそれぞれ表示された各画像の位置関係及び縦横比率を変更せず、かつ拡大前の最上位の階層のレイアウトの大きさと位置とが一致するように各画像をそれぞれ拡大し、最上位の階層のレイアウトに含まれるが最上位以外の階層のレイアウトに含まれない領域の画像を非表示とする第２の表示部とを具備し、第２の表示部は、複数回繰り返す。【選択図】図２
2011112958.tif 000002
【特許請求の範囲】
【請求項１】
複数の画像を同時に表示画面に表示すると共に、これら表示されている前記各画像を順次切り換える画像表示方法において、
上位から下位への複数の階層に渡って互いに相似する複数のレイアウトを含み、これらレイアウトにより分割された複数の領域内にそれぞれ前記各画像を表示する第１のステップと、
前記複数の領域のうち前記最上位以外の前記各階層の前記各領域内にそれぞれ表示された前記各画像の位置関係及び縦横比率を変更せず、かつ拡大前の最上位の前記階層の前記レイアウトの大きさと位置とが一致するように前記各画像をそれぞれ拡大し、前記最上位の前記階層の前記レイアウトに含まれるが前記最上位以外の前記階層の前記レイアウトに含まれない前記領域の前記画像を非表示とする第２のステップと、
を有し、
前記第２のステップを複数回繰り返すことを特徴とする画像表示方法。
【請求項２】
前記第２のステップ中に、或いは前記第２のステップの終了後に、最下位の前記階層の前記レイアウトにより分割された前記領域の一部を更に前記レイアウトにより分割して複数の新たな領域を生成し、当該新たな領域に前記各画像を表示する第３のステップを有することを特徴とする請求項１記載の画像表示方法。
【請求項３】
前記レイアウトにより分割された前記各領域の少なくとも１つは、縦横比が黄金比又は白銀比であることを特徴とする請求項１記載の画像表示方法。
【請求項４】
複数の画像を同時に表示画面に表示すると共に、これら表示されている前記各画像を順次切り換える画像表示装置において、
上位から下位への複数の階層に渡って互いに相似する複数のレイアウトを含み、これらレイアウトにより分割された複数の領域内にそれぞれ前記各画像を表示する第１の表示部と、
前記複数の領域のうち前記最上位以外の前記各階層の前記各領域内にそれぞれ表示された前記各画像の位置関係及び縦横比率を変更せず、かつ拡大前の最上位の前記階層の前記レイアウトの大きさと位置とが一致するように前記各画像をそれぞれ拡大し、前記最上位の前記階層の前記レイアウトに含まれるが前記最上位以外の前記階層の前記レイアウトに含まれない前記領域の前記画像を非表示とする第２の表示部と、
を具備し、
前記第２の表示部は、複数回繰り返すことを特徴とする画像表示装置。
【請求項５】
前記第２の表示部による前記画像の表示中、或いは第２の表示部による前記画像の表示の終了後に、最下位の前記階層の前記レイアウトにより分割された前記領域の一部を更に前記レイアウトにより分割して複数の新たな領域を生成し、当該新たな領域に前記各画像を表示する第３の表示部、
を有することを特徴とする請求項４記載の画像表示装置。
【請求項６】
前記レイアウトにより分割された前記各領域の少なくとも１つは、縦横比が黄金比又は白銀比であることを特徴とする請求項４記載の画像表示装置。
【請求項７】
複数の画像を同時に表示画面に表示すると共に、これら表示されている前記各画像を順次切り換える画像表示プログラムにおいて、
コンピュータに、
上位から下位への複数の階層に渡って互いに相似する複数のレイアウトを含み、これらレイアウトにより分割された複数の領域内にそれぞれ前記各画像を表示する第１の表示機能と、
前記複数の領域のうち前記最上位以外の前記各階層の前記各領域内にそれぞれ表示された前記各画像の位置関係及び縦横比率を変更せず、かつ拡大前の最上位の前記階層の前記レイアウトの大きさと位置とが一致するように前記各画像をそれぞれ拡大し、前記最上位の前記階層の前記レイアウトに含まれるが前記最上位以外の前記階層の前記レイアウトに含まれない前記領域の前記画像を非表示とする第２の表示機能と、
を有し、
前記第２の表示機能を複数回繰り返すことを実現させることを特徴とする画像表示プログラム。
【請求項８】
請求項７記載の画像表示プログラムを記録したことを特徴とするコンピュータ読取可能な記録媒体。
【発明の詳細な説明】
【技術分野】
【０００１】
本発明は、例えば静止画・動画等の複数の画像を切り換えながら順次表示する画像表示方法及びその装置、並びに画像表示プログラム、記録媒体に関する。
【背景技術】
【０００２】
従来から複数の画像を切り換えながら順次表示する画像表示技術が知られている。例えば、デジタルフォトフレームは、記録媒体に記録された複数の画像を切り換えながら次々と表示する装置である。  
デジタルフォトフレームは、画像鑑賞時に、複数の画像を次々に切り換えながら、基本的に１枚の画像を表示する。また、デジタルフォトフレームは、表示中の画像を次の画像に切り換える際、瞬間的に画像を切り換えたり、表示中の画像を徐々に次の画像に置き換えたりする。このように徐々に置き換える場合、画像の切り換え時に２つの画像の各部分画像が同時に表示されることになる。つまり、デジタルフォトフレームは、(1)完全な画像を１枚だけ表示する（画像鑑賞時）、(2)各部分画像を同時に２枚表示する（画像切り換え時）の２つの表示態様を有する。例えば特許文献１は、ストーリー性のあるスライドショーを呈示する技術であって、例えば楽曲に合わせてスライドショーに表示される画像を順次表示すると共に、画像のメタデータを使って前後に表示される画像間に関連性を有するようにすること、再生中の画像のメタデータが、その次に再生される画像のクエリーとなり、そのクエリーの関連語から画像を取得、選定して画像を切り替えることを開示する。
【先行技術文献】
【特許文献】
【０００３】
【特許文献１】特開２００９−８１７３３号公報
【発明の概要】
【発明が解決しようとする課題】
【０００４】
画像は、一枚一枚を個別にかつ独立に鑑賞したい場合もあるが、複数の画像をその関連性も含めて一連の続き物として鑑賞したい場合もある。例えば、旅行で撮った複数の画像を再現する場合、旅行の初めから、訪れた場所、出会った人々等の各画像を時系列に再現し、自分が体験した旅行をあたかも一巻の絵巻物のように再現・鑑賞したい希望がある。
【０００５】
しかしながら、上述のフォトフレームでは、画像鑑賞時には同時に１つの画像しか鑑賞できず、同時期に撮影された複数の他の画像との関連性、例えば時間的な連関性やストーリー性を表現できない。
【０００６】
本発明の目的は、連関性やストーリー性を有する複数の画像を一連の画像として表示できる画像表示方法及びその装置、並びに画像表示プログラム、記録媒体を提供することにある。
【課題を解決するための手段】
【０００７】
本発明の主要な局面に係る画像表示方法は、複数の画像を同時に表示画面に表示すると共に、これら表示されている各画像を順次切り換えるもので、上位から下位への複数の階層に渡って互いに相似する複数のレイアウトを含み、これらレイアウトにより分割された複数の領域内にそれぞれ各画像を表示する第１のステップと、複数の領域のうち最上位以外の各階層の各領域内にそれぞれ表示された各画像の位置関係及び縦横比率を変更せず、かつ拡大前の最上位の階層のレイアウトの大きさと位置とが一致するように各画像をそれぞれ拡大し、最上位の階層のレイアウトに含まれるが最上位以外の階層のレイアウトに含まれない領域の画像を非表示とする第２のステップとを有し、第２のステップを複数回繰り返す。
【０００８】
本発明の主要な局面に係る画像表示装置は、複数の画像を同時に表示画面に表示すると共に、これら表示されている前記各画像を順次切り換えるもので、上位から下位への複数の階層に渡って互いに相似する複数のレイアウトを含み、これらレイアウトにより分割された複数の領域内にそれぞれ各画像を表示する第１の表示部と、複数の領域のうち最上位以外の各階層の各領域内にそれぞれ表示された各画像の位置関係及び縦横比率を変更せず、かつ拡大前の最上位の階層のレイアウトの大きさと位置とが一致するように各画像をそれぞれ拡大し、最上位の階層のレイアウトに含まれるが最上位以外の階層のレイアウトに含まれない領域の画像を非表示とする第２の表示部とを具備し、第２の表示部は、複数回繰り返す。
【０００９】
本発明の主要な局面に係る画像表示プログラムは、複数の画像を同時に表示画面に表示すると共に、これら表示されている各画像を順次切り換えるもので、コンピュータに、上位から下位への複数の階層に渡って互いに相似する複数のレイアウトを含み、これらレイアウトにより分割された複数の領域内にそれぞれ各画像を表示する第１の表示機能と、複数の領域のうち最上位以外の各階層の各領域内にそれぞれ表示された各画像の位置関係及び縦横比率を変更せず、かつ拡大前の最上位の階層のレイアウトの大きさと位置とが一致するように各画像をそれぞれ拡大し、最上位の階層のレイアウトに含まれるが最上位以外の階層のレイアウトに含まれない領域の画像を非表示とする第２の表示機能とを有し、第２の表示機能を複数回繰り返すことを実現させる。
【００１０】
本発明の主要な局面に係るコンピュータ読取可能な記録媒体は、上記画像表示プログラムを記録した。
【発明の効果】
【００１１】
本発明によれば、連関性やストーリー性を有する複数の画像を一連の画像として表示できる画像表示方法及びその装置、並びに画像表示プログラム、記録媒体を提供できる。
【図面の簡単な説明】
【００１２】
【図１】本発明に係る画像表示装置の第１の実施の形態を示す斜視図。
【図２】同装置を示す機能ブロック図。
【図３】同装置における第１の表示部により複数のレイアウトで分割された複数の領域を示す図。
【図４】同装置における複数のレイアウトを示す図。
【図５】同装置における第２の表示部による各階層のレイアウトを含む画像の拡大処理等の画像表示処理の流れを示す図。
【図６】同装置における画像表示フローチャート。
【図７】本発明に係る画像表示装置の第２の実施の形態における第１の表示部により複数のレイアウトで分割された複数の領域を示す図。
【図８】同装置における複数のレイアウトを示す図。
【図９】同装置における第２の表示部による各階層のレイアウトを含む画像の拡大処理等の画像表示処理の流れを示す図。
【発明を実施するための形態】
【００１３】
以下、本発明の第１の実施の形態について図面を参照して説明する。  
図１は画像表示装置の斜視図を示す。画像表示装置１は、フォトフレームを例に取って説明するが、これに限らず、これ以外にも広く適用できる。例えば、画像表示装置１は、展示会等における大型スクリーンによる展示や、ＤＶＤやブルーレイディスク（登録商標）等の記録媒体に記録された画像情報の再生、放送やインターネットによって配信される画像情報の再生などにも適用できる。  
画像表示装置１は、液晶等から成るディスプレイ２を有する。画像表示装置１は、複数の画像を同時にディスプレイ２の表示画面に表示すると共に、これら表示されている各画像を順次切り換えるもので、例えば操作部３（リモートコントローラ）に対するユーザの操作に応答してディスプレイ２に複数の画像を次々に絶え間なく連続してスクロール表示する。
【００１４】
図２は画像表示装置１の機能ブロック図を示す。画像表示装置１は、電子回路によって成る制御回路１０を備える。この制御回路１０は、ＣＰＵ等を有するコンピュータから成る。制御回路１０には、受信部１１と、ディスプレイ駆動回路１２と、記録媒体としての画像レザバー１３と、プログラムＲＯＭ１４とが接続されている。受信部１１は、操作部３との間で無線通信を行うもので、操作部３から発信された操作情報を受信し、この操作情報を制御回路１０に送る。ディスプレイ駆動回路１２には、ディスプレイ２が接続されている。ディスプレイ駆動回路１２は、ディスプレイ２を駆動して画像を表示するもので、制御回路１０から画像表示の指示を受けると、複数の画像を同時に表示画面に表示すると共に、これら表示されている各画像を順次切り換えて表示する。
【００１５】
画像レザバー１３は、複数の画像データを記憶する。この画像レザバー１３は、例えばＨＤＤなどの記録媒体から成る。この画像レザバー１３は、例えば画像表示装置１に対して遠隔地に設置し、画像表示装置１との間をネットワーク等の通信回線を介して接続し、画像表示装置１との間で通信により画像データを受け取るようにしてもよい。
【００１６】
制御回路１０は、画像検索部２０の機能を有する。画像検索部２０は、画像レザバー１３に記憶されている複数の画像データから互いに関連性を有する各画像データを検索する。この関連性を有する各画像データは、例えば、同時期に撮影された各画像データ、時間的な連関性やストーリー性を有するデータである。この画像検索部２０は、例えば、各画像データにそれぞれ添付されているテキストデータ、タグ、キーワードにより検索したり、又は画像データ中の特徴点、形状、色等の情報により検索する。なお、画像レザバー１３には、予め互いに関連付けされた複数の画像データを記憶しておいてもよい。
【００１７】
プログラムＲＯＭ１４には、予め画像表示プログラムが記憶されている。この画像表示プログラムは、ディスプレイ２に、複数の画像を同時に表示画面に表示すると共に、これら表示されている各画像を順次切り換えるもので、制御回路１０に、上位から下位への複数の階層に渡って互いに相似する複数のレイアウトを含み、これらレイアウトにより分割された複数の領域内にそれぞれ各画像を表示する第１の表示機能と、複数の領域のうち最上位以外の各階層の各領域内にそれぞれ表示された各画像の位置関係及び縦横比率を変更せず、かつ拡大前の最上位の階層のレイアウトの大きさと位置とが一致するように各画像をそれぞれ拡大し、最上位の階層のレイアウトに含まれるが最上位以外の階層のレイアウトに含まれない領域の画像を非表示とする第２の表示機能とを有し、第２の表示機能を複数回繰り返すことを実現させる。
【００１８】
制御回路１０は、画像レザバー１３やプログラムＲＯＭ１４をアクセスすると共に、受信部１１やディスプレイ駆動回路１２に指示を送出し、ディスプレイ２上に複数の画像をスクロール表示する一連の制御を行う。この制御回路１０は、プログラムＲＯＭ１４に記憶されている画像表示プログラムを読み取って実行することにより第１の表示部２１と、第２の表示部２２と、第３の表示部２３との機能を有するものとなる。
【００１９】
第１の表示部２１は、図３に示すように上位から下位への複数の階層に渡って互いに相似する複数の相似レイアウト（以下、レイアウトと省略する）により分割された複数の領域Ａ、Ｂ、Ｃ、…、Ｉを有する。図４（ａ）〜（ｄ）は複数のレイアウトＬ１〜Ｌ４を示す。
【００２０】
これらレイアウトＬ１〜Ｌ４は、複数の階層に渡って内部に自己相似のレイアウトを含むように矩形に形成されている。すなわち、同図（ａ）に示すレイアウトＬ１は、最上位階層のレイアウトとなる。同図（ｂ）に示すレイアウトＬ２は、第２階層のレイアウトとなる。同図（ｃ）に示すレイアウトＬ３は、第３階層のレイアウトとなる。同図（ｄ）に示すレイアウトＬ４は、第４階層のレイアウトとなる。これらレイアウトＬ１〜Ｌ４は、皆相似の関係にある。しかるに、図３に示すレイアウトは、４つの階層に渡って内部に相似の各レイアウトＬ１〜Ｌ４を含む。
【００２１】
各階層の各レイアウトＬ１〜Ｌ４の外形（外枠の形）の縦横比（アスペクト比）は、表示画面の縦横比と同一に形成されている。かかる形状の各レイアウトＬ１〜Ｌ４であれば、当該各レイアウトＬ１〜Ｌ４をディスプレイ２の画面全体に余白なく表示可能である。
【００２２】
又、各レイアウトＬ１〜Ｌ４の外形（外枠の形）は、ディスプレイ２の表示画面と縦横の方向を揃えている。かかる外形の各レイアウトＬ１〜Ｌ４であれば、例えば当該各レイアウトＬ１〜Ｌ４の拡大の際に、各レイアウトＬ１〜Ｌ４の回転運動が不要になる。
【００２３】
各レイアウトＬ１〜Ｌ４により分割された各領域Ａ、Ｂ、Ｃ、…、Ｉの少なくとも１つは、縦横比が黄金比又は白銀比（１：√２）である。白銀比は、黄金比とともに美的に優れた比率として知られている。
【００２４】
なお、レイアウトは、４つの階層に限定されるものでなく、階層数に限定されない。なお、相似には、拡大・縮小又は回転すれば互いに合同になる２つの図形の関係のみならず、拡大・縮小又は回転すれば互いに鏡像の関係になる２つの図形の関係も含まれる。  
第１の表示部２１は、画像表示装置１が画像表示モードになると、各レイアウトＬ１〜Ｌ４により分割された各領域Ａ、Ｂ、Ｃ、…、Ｉ内にそれぞれ各画像として例えば静止画又は動画を表示する。
【００２５】
第２の表示部２２は、図５に示すように各領域Ａ、Ｂ、Ｃ、…、Ｉのうち最上位以外の各階層の各領域Ｃ、…、Ｉ内にそれぞれ表示された各画像の位置関係及び縦横比率を変更せず、かつ拡大前の最上位の階層のレイアウトＬ１の大きさと位置とが一致するように各領域Ｃ、…、Ｉ内の各画像をそれぞれ拡大（ズーム）し、最上位の階層のレイアウトＬ１に含まれるが最上位以外の階層のレイアウトＬ２、Ｌ３、Ｌ４に含まれない領域、例えば領域Ａや領域Ｂの各画像を非表示とし、かつかかる処理を複数回繰り返す。
【００２６】
第３の表示部２３は、第２の表示部２２による画像の表示中、或いは第２の表示部２２による画像の表示の終了後に、最下位の階層のレイアウト、例えばレイアウトＬ４により分割された領域の一部を更にレイアウトにより分割して複数の新たな領域を生成し、当該新たな領域に各画像を表示する。
【００２７】
次に、上記の如く構成された装置による画像表示の動作について図６に示す画像表示フローチャートに従って説明する。  
操作部３に対してユーザにより画像表示の指示の操作を行うと、操作部３は、画像表示の指示を送信する。画像表示装置１は、操作部３から画像表示の指示を受信部１１を通して受けると、画像表示モードになる。これと共に、画像検索部２０は、画像レザバー１３に記憶されている複数の画像データから互いに関連性を有する各画像データを検索する。なお、画像レザバー１３に予め互いに関連性を有する複数の画像データが記憶されていれば、画像検索部２０は、互いに関連性を有する各画像データの検索を行わない。
【００２８】
第１の表示部２１は、画像表示装置１が画像表示モードになると、図５のｔ１時に示すように、各レイアウトＬ１〜Ｌ４により分割された各領域Ａ、Ｂ、Ｃ、…、Ｉ内にそれぞれ互いに関連性を有する例えば静止画又は動画等の各画像データを表示する（ステップＳ１）。
【００２９】
次に、第２の表示部２２は、図５のｔ２時乃至ｔ４時に示すように、各領域Ａ、Ｂ、Ｃ、…、Ｉのうち最上位以外、すなわち第２階層以下の各領域Ｃ、Ｄ、…、Ｉ内にそれぞれ表示された各画像の位置関係及び縦横比率を変更せず、かつ拡大前の最上位の階層のレイアウトＬ１の大きさと位置とが一致するように各領域Ｃ、Ｄ、…、Ｉ内の各画像をそれぞれ拡大し、最上位の階層のレイアウトＬ１に含まれるが最上位以外の階層のレイアウトＬ２、Ｌ３、Ｌ４に含まれない領域、例えば領域Ａ、Ｂの画像を非表示とする。
【００３０】
すなわち、第２の表示部２２は、図５のｔ１時において、ディスプレイ２の表示画面上に、最上位階層のレイアウトＬ１の各領域Ａ、Ｂを表示すると共に、第２階層以下の各レイアウトＬ２、Ｌ３、Ｌ４の各領域Ｃ、Ｄ、Ｅ、Ｆ、Ｇ、Ｈ，Ｉも表示する。  
第２の表示部２２は、図５のｔ２時〜ｔ３時に示すように時間の経過と共に、第２階層以下の各レイアウトＬ２、Ｌ３、Ｌ４及び縦横比率を変更せずに拡大し、かつこれらレイアウトＬ２、Ｌ３、Ｌ４の各領域Ｃ、Ｄ、…、Ｉに表示されている各画像も拡大する。第２の表示部２２は、各レイアウトＬ２、Ｌ３、Ｌ４を拡大し、図５のｔ４時のように、第２階層のレイアウトＬ２の大きさが最上位の階層のレイアウトＬ１の大きさに一致させる。
【００３１】
換言すると、第２の表示部２２は、図５のｔ１時〜ｔ４時に示すように、第２階層のレイアウトＬ２の領域を徐々にズームしてディスプレイ２の表示画面上で拡大し、図５のｔ４時に示すように、最上位の階層のレイアウトＬ１があった領域に第２階層のレイアウトＬ２を重ねる。
【００３２】
これにより、最上位の階層のレイアウトＬ１に含まれるが次の階層である第２階層のレイアウトＬ２に含まれない各領域Ａ、Ｂの各画像が表示されなくなる。
【００３３】
次に、第３の表示部２３は、第２の表示部２２による画像の表示中、或いは第２の表示部２２による画像の表示の終了後に、図５のｔ４時に示すように、最下位の階層のレイアウト、例えばレイアウトＬ４により分割された領域の一部に更に新たなレイアウトＬ５を生成し、このレイアウトＬ５より分割して複数の新たな領域Ｊ、Ｋを生成し、当該新たな領域Ｊ、Ｋにそれぞれ互いに関連性を有する例えば静止画又は動画等の各画像データを表示する（ステップＳ３）。
【００３４】
第２の表示部２２は、上記画像表示の処理を繰り返すか否かを判断する。この判断の結果、繰り返すのであれば、第２の表示部２２は、図５のｔ４時〜ｔ６時に示すように時間の経過と共に、第３階層以下の各レイアウトＬ３、Ｌ４、Ｌ５及び縦横比率を変更せずに拡大し、かつこれらレイアウトＬ３、Ｌ４、Ｌ５の各領域Ｅ、Ｆ、Ｇ、Ｈ、Ｉ、Ｊ、Ｋに表示されている各画像を拡大し、図５のｔ７時のように、第３階層のレイアウトＬ３の大きさを最上位の階層のレイアウトＬ１の大きさに一致させる、すなわち拡大した第２階層のレイアウトＬ２に重ね合わせる。これにより、第２階層のレイアウトＬ２に含まれるが第３階層のレイアウトＬ３に含まれない各領域Ｃ、Ｄの各画像が表示されなくなる（ステップＳ２）。
【００３５】
再び、第３の表示部２３は、例えばレイアウトＬ５により分割された領域の一部を更に新たなレイアウトＬ６を生成し、このレイアウトＬ６より分割して複数の新たな領域Ｌ、Ｍを生成し、当該新たな領域Ｌ、Ｍにそれぞれ互いに関連性を有する例えば静止画又は動画等の各画像データを表示する（ステップＳ３）。
【００３６】
以下、第２の表示部２２は、ステップＳ２、Ｓ３を繰り返し、図５のｔ７時〜ｔ９時に示す各レイアウトで各画像を表示する。
【００３７】
このように上記第１の実施の形態によれば、複数の階層に渡って互いに相似する複数のレイアウトＬ１、Ｌ２、…、Ｌ４等を含み、これらレイアウトＬ１、Ｌ２、…、Ｌ４等により分割された複数の領域Ａ、Ｂ、Ｃ、…、Ｉ内にそれぞれ各画像を表示し、最上位以外の各階層の各領域Ｃ、Ｄ、…、Ｉ等内にそれぞれ表示された各画像の位置関係及び縦横比率を変更せず、かつ最上位の階層のレイアウトＬ１の大きさと位置とが一致するように各画像をそれぞれ拡大し、最上位の階層のレイアウトＬ１に含まれるが最上位以外の階層のレイアウトＬ２、Ｌ３、Ｌ４に含まれない領域の画像を非表示とするので、連関性やストーリー性を有する複数の画像を一連の画像として表示できる。
【００３８】
多数の完全な画像を同時にディスプレイ２の表示画面に表示するので、表示されている複数の画像の関連性が鑑賞者に把握できる。又、表示されている複数の画像は、順番に拡大されて切り替わってゆくので、鑑賞者は次に拡大される画像が予期できて安心して鑑賞ができる。
【００３９】
レイアウトＬ１、Ｌ２、…、Ｌ４等の階層は、増加することが可能である。この場合、所定の階層よりも下位の階層のレイアウトは、画像の解像度を例えば低くし、画像の詳細の判別を不可能にしてもよい。このようにすれば、ディスプレス２の表示画面上で判別できない程に細かな画像が順番に拡大することにより、所定の階層よりも上位の階層のレイアウトになると、画像の解像度を高くし、画像の詳細な判別を可能とし、やがて鑑賞できる程に大きな画像となる効果を堪能できる。
【００４０】
又、図５のｔ１時、ｔ４時、ｔ７時に示すように各階層のレイアウトＬ１、Ｌ２、Ｌ３等が最大になった時点で、所定時間当該各レイアウトＬ１、Ｌ２、Ｌ３等の変化をフリーズして、鑑賞用の間合いをとることが好ましい。このように観賞用の間合いをとる場合、各画像は、最初、静止画で表示し、各レイアウトＬ２、Ｌ３等が最大化された時点で動画とし、観賞用の間合いの期間で動画を鑑賞できるようにすれば、効果的な演出ができる。
【００４１】
次に、本発明の第２の実施の形態について図面を参照して説明する。なお、画像表示装置１の構成は、図２と同一であり、相違する点について説明する。  
本実施形態は、第３階層のレイアウトＬ１２から拡大（ズーム）するもので、上記第１の実施形態のように第２階層のレイアウトＬ２からズームするものと相違する。
【００４２】
第１の表示部２１は、図７に示すように上位から下位への複数の階層に渡って互いに相似する複数のレイアウトにより分割された複数の領域Ａ、Ｂ、Ｃ、…、Ｇを有する。図８（ａ）〜（ｄ）は複数のレイアウトＬ１０〜Ｌ１３を示す。
【００４３】
これらレイアウトＬ１０〜Ｌ１３は、複数の階層に渡って内部に自己相似のレイアウトを含むように矩形に形成されている。すなわち、同図（ａ）に示すレイアウトＬ１０は、最上位階層のレイアウトとなる。同図（ｂ）に示すレイアウトＬ１１は、第２階層のレイアウトとなる。同図（ｃ）に示すレイアウトＬ１２は、第３階層のレイアウトとなる。同図（ｄ）に示すレイアウトＬ１３は、第４階層のレイアウトとなる。これらレイアウトＬ１０〜Ｌ１３は、皆相似の関係にある。しかるに、図７に示すレイアウトは、４つの階層に渡って内部に相似の各レイアウトＬ１０〜Ｌ１３を含む。これらレイアウトＬ１０〜Ｌ１３の外形（外枠の形）の縦横比（アスペクト比）は、表示画面の縦横比と同一に形成されている。
【００４４】
第１の表示部２１は、各レイアウトＬ１０〜Ｌ１３により分割された各領域Ａ、Ｂ、Ｃ、…、Ｇ内にそれぞれ互いに関連性を有する例えば静止画又は動画等の各画像データを表示する。  
第２の表示部２２は、第３階層のレイアウトＬ１２から拡大（ズーム）する。
【００４５】
次に、上記の如く構成された装置による画像表示の動作について説明する。  
第１の表示部２１は、画像表示装置１が画像表示モードになると、図９のｔ１０時に示すように、各レイアウトＬ１０〜Ｌ１３により分割された各領域Ａ、Ｂ、Ｃ、…、Ｇ内にそれぞれ互いに関連性を有する例えば静止画又は動画等の各画像データを表示する（ステップＳ１）。
【００４６】
次に、第２の表示部２２は、図９のｔ１１時〜ｔ１２時に示すように、第３階層のレイアウトＬ１２の各領域Ｅ、Ｆ、Ｇ内にそれぞれ表示された各画像の位置関係及び縦横比率を変更せず、かつ拡大前の最上位の階層のレイアウトＬ１０の大きさと位置とが一致するように各領域Ｅ、Ｆ、Ｇ等内の各画像をそれぞれ拡大し、図９のｔ１３時のように、レイアウトＬ１２の大きさを最上位の階層のレイアウトＬ１０の大きさに一致させる。これと共に、第２の表示部２２は、最上位の階層のレイアウトＬ１０に含まれるが第３階層のレイアウトＬ１２以下の階層に含まれない領域、例えば各領域Ａ、Ｂ、Ｃ、Ｄの各画像を非表示とする（ステップＳ２）。
【００４７】
次に、第３の表示部２３は、第２の表示部２２による画像の表示中、或いは第２の表示部２２による画像の表示の終了後に、例えば図９のｔ１３時に示すように、レイアウトＬ１３により分割された領域の一部を更に新たなレイアウトＬ１４を生成し、このレイアウトＬ１４より分割して複数の新たな領域Ｉ等を生成し、当該新たな領域Ｉ等にそれぞれ互いに関連性を有する例えば静止画又は動画等の各画像データを表示する（ステップＳ３）。  
以下、第２の表示部２２は、ステップＳ２、Ｓ３を繰り返し、図９のｔ１４時〜ｔ１８時に示す各レイアウトで各画像を表示する。
【００４８】
このように上記第２の実施の形態によれば、第３階層のレイアウトＬ１２から拡大（ズーム）するもので、上記第１の実施の形態と同様の効果を奏することができる。  
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
第１の実施形態は、第１階層のレイアウトＬ１からズームし、第２の実施形態は、第３階層のレイアウトＬ１２からズームしているが、これに限らず、任意の階層のレイアウトからズームしてもよい。
【符号の説明】
【００４９】
１：画像表示装置、２：ディスプレイ、３：操作部、１０：制御回路、１１：受信部、１２：ディスプレイ駆動回路、１３：画像レザバー、１４：プログラムＲＯＭ、２０：画像検索部、２１：第１の表示部、２２：第２の表示部、２３：第３の表示部。
【図１】
2011112958.tif 000003
【図２】
2011112958.tif 000004
【図３】
2011112958.tif 000005
【図４】
2011112958.tif 000006
【図５】
2011112958.tif 000007
【図６】
2011112958.tif 000008
【図７】
2011112958.tif 000009
【図８】
2011112958.tif 000010
【図９】
2011112958.tif 000011